(57)【要約】      （修正有）【課題】第１剤と第２剤とを迅速に、かつ簡単な構造で攪拌して混合し、２剤混合タイプの毛染め剤とすることが可能な毛染め剤ミキサーを提供する。  【解決手段】第１剤と第２剤とを攪拌して混合し、２剤混合タイプの毛染め剤とするミキサーであり、第１剤と第２剤とを攪拌して混合する攪拌羽根２１を有するカップ部２０と、攪拌羽根２１を駆動する駆動モータ３１を有する駆動部３０を備え、攪拌羽根２１をカップ部２０の内部底面から内部側面に沿わせた。カップ部２０の底部に攪拌羽根２１の回転軸２２を備え、駆動部２０に駆動モータ３１の動力を回転軸２２に伝達する動力伝達軸２４を備え、回転軸２２と動力伝達軸２４とをスプライン係合し、カップ部２０と駆動部３０とが着脱可能である。カップ部２０は摘み部２０ｄと毛染め剤を流出させる流出口部を有する。【選択図】図２
0003167988.tif 000002
【実用新案登録請求の範囲】
【請求項１】
第１剤と第２剤とを攪拌して混合し、２剤混合タイプの毛染め剤とするミキサーであり、
第１剤と第２剤とを攪拌して混合する攪拌羽根を有するカップ部と、
前記攪拌羽根を駆動する駆動モータを有する駆動部を備え、
前記攪拌羽根を前記カップ部の内部底面から内部側面に沿わせたことを特徴とする毛染め剤ミキサー。
【請求項２】
前記カップ部の底部に前記攪拌羽根の回転軸を備え、
前記駆動部に前記駆動モータの動力を前記回転軸に伝達する動力伝達軸を備え、
前記回転軸と前記動力伝達軸とをスプライン係合し、
前記カップ部と前記駆動部とが着脱可能であることを特徴とする請求項１に記載の毛染め剤ミキサー。
【請求項３】
前記カップ部は摘み部と毛染め剤を流出させる流出口部を有することを特徴とする請求項１または請求項２に記載の毛染め剤ミキサー。
【考案の詳細な説明】
【技術分野】
【０００１】
この考案は、第１剤と第２剤とを攪拌して混合し、２剤混合タイプの毛染め剤とするミキサーに関する。
【背景技術】
【０００２】
従来から、ペースト状の毛染め剤を用いて毛髪を染めることが、美容院や家庭において行われている。この毛染め剤としては、通常、第１剤と第２剤からなる２剤混合タイプのものが用いられており、この２つの剤を、使用直前に混合し、その化学反応により毛髪を染めるようになっている。
【０００３】
このように、毛染め剤が２剤混合タイプの場合は、異なる２剤を直接ブラシ部に乗せて毛髪を梳きながら混合するか、２剤をトレーにとって攪拌し、混合剤をブラシ部に含浸させて使用している（特許文献１）。
【先行技術文献】
【特許文献】
【０００４】
【特許文献１】特開平１１−３０９０１９号公報
【考案の概要】
【考案が解決しようとする課題】
【０００５】
ところで、異なる２剤を直接ブラシ部に乗せて毛髪を梳きながら混合したり、２剤をトレーにとって攪拌して混合する方法では、十分に混合することができず、毛染めにムラがあった。また、２剤を攪拌して混合するときに、垂れ落ちたり、化学反応が生起している間に、混合することができず、良好な仕上がりを得ることができなかった。
【０００６】
この考案は、前記の問題に鑑みてなされたもので、第１剤と第２剤とを迅速に、かつ簡単な構造で攪拌して混合し、２剤混合タイプの毛染め剤とすることが可能な毛染め剤ミキサーを提供することを目的とする。
【課題を解決するための手段】
【０００７】
前記課題を解決し、かつ目的を達成するために、この考案は、以下のように構成した。
【０００８】
請求項１に記載の考案は、第１剤と第２剤とを攪拌して混合し、２剤混合タイプの毛染め剤とするミキサーであり、第１剤と第２剤とを攪拌して混合する攪拌羽根を有するカップ部と、前記攪拌羽根を駆動する駆動モータを有する駆動部を備え、前記攪拌羽根を前記カップ部の内部底面から内部側面に沿わせたことを特徴とする毛染め剤ミキサーである。
【０００９】
請求項２に記載の考案は、前記カップ部の底部に前記攪拌羽根の回転軸を備え、前記駆動部に前記駆動モータの動力を前記回転軸に伝達する動力伝達軸を備え、前記回転軸と前記動力伝達軸とをスプライン係合し、前記カップ部と前記駆動部とが着脱可能であることを特徴とする請求項１に記載の毛染め剤ミキサーである。
【００１０】
請求項３に記載の考案は、前記カップ部は摘み部と毛染め剤を流出させる流出口部を有することを特徴とする請求項１または請求項２に記載の毛染め剤ミキサーである。
【考案の効果】
【００１１】
前記構成により、この考案は、以下のような効果を有する。
【００１２】
請求項１に記載の考案では、攪拌羽根をカップ部の内部底面から内部側面に沿わせたことで、第１剤と第２剤とを迅速に、かつ簡単な構造で攪拌して混合し、２剤混合タイプの毛染め剤とすることが可能である。
【００１３】
請求項２に記載の考案では、カップ部と駆動部とが着脱可能であることで、カップ部内で第１剤と第２剤とを攪拌して混合し、２剤混合タイプの毛染め剤としたら、駆動部から取り外して毛染め作業を行うことができ便利である。
【００１４】
請求項３に記載の考案では、毛染め作業を行う際には、摘み部を摘みカップ部を傾け、流出口部から毛染め剤を流出させて毛染め用ブラシに供給し、簡単な動作で、素早く、しかも均一に毛染め剤を毛髪に付与することができる。
【図面の簡単な説明】
【００１５】
【図１】毛染め剤ミキサーの斜視図である。
【図２】毛染め剤ミキサーの構造を説明する図である。
【図３】カップ部の平面図である。
【図４】カップ部の底面図である。
【図５】カップ部と駆動部の着脱構造を説明する図である。
【考案を実施するための形態】
【００１６】
以下、この考案の毛染め剤ミキサーの実施の形態について説明する。この考案の実施の形態は、考案の最も好ましい形態を示すものであり、この考案はこれに限定されない。
【００１７】
この考案の毛染め剤ミキサーを、図１乃至図５に基づいて説明する。図１は毛染め剤ミキサーの斜視図、図２は毛染め剤ミキサーの構造を説明する図、図３はカップ部の平面図、図４はカップ部の底面図、図５はカップ部と駆動部の着脱構造を説明する図である。
【００１８】
［毛染め剤ミキサーの構造］
この毛染め剤ミキサー１０は、第１剤と第２剤とを攪拌して混合し、２剤混合タイプの毛染め剤とするミキサーであり、第１剤と第２剤とを攪拌して混合する攪拌羽根２１を有するカップ部２０と、攪拌羽根２１を駆動する駆動モータ３１を有する駆動部３０を備える。
【００１９】
カップ部２０は、例えば樹脂で形成され、底部２０ａには攪拌羽根２１の回転軸２２を備え、側部２０ｂの上部開口部２０ｃには、蓋２３が着脱可能に備えられる。上部開口部２０ｃには、摘み部２０ｄと毛染め剤を流出させる流出口部２０ｅが対向する位置に形成されている。
【００２０】
攪拌羽根２１は、例えば樹脂または金属などから成形され、プレート基部２１ａとこのプレート基部２１ａの両端に形成された羽根部２１ｂからなる。プレート基部２１ａはカップ部２０の底部２０ａの内部底面に沿わせ、羽根部２１ｂは側部２０ｂの内部側面に沿わせた形状に形成されている。
【００２１】
駆動部３０は、ベースプレート３２と収納ケース３３を有し、ベースプレート３２に収納ケース３３の下部が嵌合して設けられている。ベースプレート３２及び収納ケース３３は、例えば樹脂により形成され、ベースプレート３２には、駆動モータ３１の動力を回転軸２２に伝達する動力伝達軸３４が備えられている。
【００２２】
動力伝達軸３４は、垂直方向に配置され、下部には従動ギヤ３４ａが設けられ、上部にはスプライン３４ｂが設けられている。従動ギヤ３４ａは、駆動モータ３１の出力軸に形成した駆動ギヤ３１ａに噛み合い、スイッチＳＷを押すと駆動モータ３１が駆動し、駆動モータ３１の駆動により駆動ギヤ３１ａ、従動ギヤ３４ａを介して動力伝達軸３４に伝達され、回転軸２２が回転する。スイッチＳＷは、収納ケース３３から外部に露出し、容易に外部から押すことができるようになっている。
【００２３】
回転軸２２は、カップ部２０の底部２０に固定した支持体２４に回転可能に支持され、回転軸２２の上部に攪拌羽根２１のプレート基部２１ａが固定され、下部にスプライン２２ａが形成されている。
【００２４】
動力伝達軸３４のスプライン３４ｂと回転軸２２のスプライン２２ａがスプライン係合され、動力伝達軸３４と回転軸２２は着脱可能であり、かつ一体に回転可能になっている。
【００２５】
［毛染め剤ミキサーの使用］
次に、毛染め剤ミキサーは、美容院や家庭において使用することができ、使用に際しては、駆動部３０の上にカップ部２０を乗せる。カップ部２０を乗せることで、動力伝達軸３４のスプライン３４ｂに回転軸２２のスプライン２２ａがスプライン係合され、動力伝達軸３４と回転軸２２が一体に回転可能になる。
【００２６】
駆動部３０の上にカップ部２０を乗せた状態で、カップ部２０の内部に第１剤と第２剤を注入し、カップ部２０の上部開口部２０ｃを蓋２３で塞ぎ、スイッチＳＷを押す。このスイッチＳＷを押す操作によって駆動モータ３１が駆動し、駆動モータ３１の駆動により駆動ギヤ３１ａ、従動ギヤ３４ａを介して動力伝達軸３４に伝達され、回転軸２２が攪拌羽根２１を回転する。
【００２７】
この攪拌羽根２１は、プレート基部２１ａがカップ部２０の底部２０ａの内部底面に沿って、羽根部２１ｂが側部２０ｂの内部側面に沿って回転し、カップ部２０の内部に混合残りがなく、特に底部２０ａの内部底面や側部２０ｂの内部側面に混合残りがなく、第１剤と第２剤とを迅速に、かつ簡単な構造で攪拌して混合し、２剤混合タイプの毛染め剤とすることができる。
【００２８】
この攪拌羽根２１の回転による毛染め剤の飛散は、蓋２３により防止され、毛髪を染めるときには、摘み部２０ｄを摘みカップ部２０を駆動部３０から取り外して毛染め作業を行うが、カップ部２０を持ち上げると、動力伝達軸３４のスプライン３４ｂから回転軸２２のスプライン２２ａが簡単に外れ、カップ部２０を駆動部３０から取り外すことができ便利である。
【００２９】
そして、毛染め作業を行う際には、蓋２３を取り外し、摘み部２０ｄを摘みカップ部２０を傾け、流出口部２０ｅから毛染め剤を流出させて毛染め用ブラシに供給し、簡単な動作で、素早く、しかも均一に毛染め剤を毛髪に付与することができる。
【００３０】
したがって、従来のように異なる２剤を直接ブラシ部に乗せて毛髪を梳きながら混合したり、２剤をトレーにとって攪拌して混合するように、十分に混合することができなかったり、毛染めにムラが生じない。また、２剤を攪拌して混合するときに、垂れ落ちることがなく、しかも化学反応が生起している間に混合することができるため、良好な仕上がりを得ることができる。
【産業上の利用可能性】
【００３１】
この考案は、第１剤と第２剤とを攪拌して混合し、２剤混合タイプの毛染め剤とするミキサーに適用可能であり、第１剤と第２剤とを迅速に、かつ簡単な構造で攪拌して混合し、２剤混合タイプの毛染め剤とすることが可能である。
【符号の説明】
【００３２】
１０  毛染め剤ミキサー
２０  カップ部
２０ａ  底部
２０ｂ  側部
２０ｃ 上部開口部
２０ｄ 摘み部
２０ｅ 流出口部
２１  攪拌羽根
２１ａ  プレート基部
２１ｂ  羽根部
２２  回転軸
２２ａ  スプライン
２３  蓋
２４  支持体
３０  駆動部
３１  駆動モータ
３１ａ  駆動ギヤ
３２  ベースプレート
３３  収納ケース
３４  動力伝達軸
３４ａ  従動ギヤ
３４ｂ  スプライン
ＳＷ  スイッチ
【図１】
0003167988.tif 000003
【図２】
0003167988.tif 000004
【図３】
0003167988.tif 000005
【図４】
0003167988.tif 000006
【図５】
0003167988.tif 000007